(57)【要約】【課題】ノズルユーザーがデータベースを検索するに際して、多様な検索方法をユーザーに提供して利便性を高めたノズル情報検索システムを提供すること。【解決手段】インターネット上に設置されるサーバーにノズルカタログに基づいたデータベース（ＤＳ）２０を構築し、ユーザーがサーバーにアクセスすることでノズル情報を検索できるようにしたノズル情報検索システムであって、第１レベルの検索条件を入力することで、ノズル型番情報をＤＳ２０から抽出する第１ノズル型番検索手段と、第１レベルよりも詳細な検索条件を入力し、第１ノズル型番検索よりも絞り込んだノズル型番情報をＤＳ２０から抽出可能な第２ノズル型番検索手段と、ノズル型番情報を入力し、ノズル仕様情報をＤＳ２０から検索するノズル仕様検索手段と、基準のノズル型番情報を入力することで、仕様が類似したノズルの型番情報をＤＳ２０から抽出する類似ノズル検索手段とをサーバーに設けた。【選択図】    図２
2004246810.tif 000002
【特許請求の範囲】
【請求項１】
ネットワーク上に設置されるサーバーシステムにノズルカタログに基づいたデータベースを構築し、ノズルユーザーがサーバーシステムにアクセスすることでノズル情報を検索できるようにしたノズル情報検索システムであって、
第１レベルの検索条件を入力することで、ノズル型番情報を前記データベースから抽出する第１ノズル型番検索手段と、
前記第１レベルよりも詳細な検索条件を入力することで、前記第１ノズル型番検索よりも絞り込んだ形のノズル型番情報を前記データベースから抽出可能な第２ノズル型番検索手段と、
ノズル型番情報を入力することで、ノズル仕様情報を前記データベースから検索するノズル仕様検索手段と、
基準となるノズル型番情報を入力することで、仕様が類似したノズルのノズル型番情報を前記データベースから抽出可能な類似ノズル検索手段とを前記サーバーシステムに設けたことを特徴とするノズル情報検索システム。
【請求項２】
前記第１ノズル型番検索手段と第２ノズル型番検索手段は、少なくとも、第１ステップの検索条件を入力する入力フォームを提供する手段と、第２ステップの検索条件を入力する入力フォームを提供する手段とを備え、これら各ステップは、ページを切り換えて行うように構成し、
前記入力フォームが表示される表示画面、及び、検索結果が表示される表示画面において、入力済みの検索条件を表示する表示エリアを提供するように構成した請求項１に記載のノズル情報検索システム。
【請求項３】
前記第１ノズル型番検索手段は、検索条件として、ノズルの分類を入力する入力フォームを提供する第１手段と、スプレーパターンを入力する入力フォームを提供する第２手段と、ノズル仕様を入力する入力フォームを提供する第３手段とを備えた請求項１又は２に記載のノズル情報検索システム。
【請求項４】
前記第２ノズル型番検索手段は、検索条件として、ノズルの分類を入力する入力フォームを提供する第４手段と、流体の流入方向を入力する入力フォームを提供する第５手段と、スプレーパターンを入力する入力フォームを提供する第６手段と、ノズル仕様を入力する入力フォームを提供する第７手段とを備えた請求項１又は２に記載のノズル情報検索システム。
【請求項５】
前記入力フォームにおいて、前記スプレーパターンの複数をイラスト化して表示させ、いずれか１つのスプレーパターンを選択可能に構成した請求項３に記載のノズル情報検索システム。
【請求項６】
前記入力フォームにおいて、前記流入方向の複数と前記スプレーパターンの複数をイラスト化して表示させ、いずれか１つの前記流入方向と前記スプレーパターンとを選択可能に構成した請求項４に記載のノズル情報検索システム。
【請求項７】
前記流入方向のいずれか１つを選択した場合、前記スプレーパターンは、選択された流入方向に対応したもののみをイラスト化して表示させるように構成した請求項６に記載のノズル情報検索システム。
【請求項８】
前記第３手段は、流体圧力と、噴射流体流量と、スプレー角度とをノズル仕様として入力可能に構成し、前記第７手段は、オリフィス部材質や異物通過径等を更に入力可能に構成してある請求項３に記載のノズル情報検索システム。
【請求項９】
前記流体圧力と前記噴射流体流量を入力するにあたり、許容範囲も入力可能に構成したことを特徴とする請求項８に記載のノズル情報検索システム。
【発明の詳細な説明】
【０００１】
【発明の属する技術分野】
本発明は、ネットワーク上に設置されるサーバーシステムにノズルカタログに基づいたデータベースを構築し、ノズルユーザーがサーバーシステムにアクセスすることでノズル情報を検索できるようにしたノズル情報検索システムに関する。
【０００２】
【従来の技術】
かかるシステムとしてノズル情報検索システムが知られている（特許文献１参照）  。このシステムでは、ネットワーク（インターネット）  上に設置されるサーバーには、ノズルメーカーのノズルカタログに記載されたノズル情報をデータベース化し、ノズルユーザーがサーバーにアクセスすることで、自分の希望するノズル情報を検索することができる。かかるノズル情報検索システムを提供するために、サーバーシステムには種々のページ（ＷｅｂサイトあるいはＷｅｂページ）  が構築される。そして、ユーザーにデータベースを検索して要望するノズルを検索してもらうために、検索条件を入力するための入力フォームを提供し、検索結果を画面に表示させる必要がある。
【０００３】
【特許文献１】
特開２００３−２２３８６号公報  （特許請求の範囲等）
【発明が解決しようとする課題】
ノズルを要望するユーザーの立場から見ると、ノズルを検索するための検索条件は多様性があると考えられる。従って、ユーザーに対して多様な検索方法を提供することで、利便性を高める必要がある。また、ユーザーには、ノズルの検索に熟練している者と、そうでない者とがおり、これらの事情を考慮した検索方法も必要である。
【０００４】
本発明は上記実情に鑑みてなされたものであり、その課題は、ノズルユーザーがデータベースを検索するに際して、多様な検索方法をユーザーに提供して利便性を高めたノズル情報検索システムを提供することである。
【課題を解決するための手段】
上記課題を解決するため本発明に係るノズル情報検索システムは、
ネットワーク上に設置されるサーバーシステムにノズルカタログに基づいたデータベースを構築し、ノズルユーザーがサーバーシステムにアクセスすることでノズル情報を検索できるようにしたノズル情報検索システムであって、
第１レベルの検索条件を入力することで、ノズル型番情報を前記データベースから抽出する第１ノズル型番検索手段と、
前記第１レベルよりも詳細な検索条件を入力することで、前記第１ノズル型番検索よりも絞り込んだ形のノズル型番情報を前記データベースから抽出可能な第２ノズル型番検索手段と、
ノズル型番情報を入力することで、ノズル仕様情報を前記データベースから検索するノズル仕様検索手段と、
基準となるノズル型番情報を入力することで、仕様が類似したノズルのノズル型番情報を前記データベースから抽出可能な類似ノズル検索手段とを前記サーバーシステムに設けたことを特徴とするものである。
この構成による検索システムの作用・  効果は、以下の通りである。ネットワーク上に設置されるサーバーシステムに、次の４つの検索手段を設ける。検索手段は、サーバーシステムにインストールされるソフトウェアにより構築することができる。
まず、第１ノズル型番検索手段は、第１レベルの検索条件を入力することで、ノズル型番情報を抽出する。  第２ノズル型番検索手段は、同じくノズル型番情報を抽出するものであるが、第１レベルよりも詳細な第２レベルの検索条件を入力できるようになっている。よって、第２ノズル型番検索の方が、より絞り込んだ形でのノズル検索が行える。従って、第２ノズル型番検索の方が、より熟練者向きの検索方法であるといえる。
【０００５】
ノズル仕様検索手段は、ノズル型番検索とは逆に、ノズル型番情報を入力してノズル仕様情報をデータベースから検索するものである。この場合、ノズル型番情報は、完全な型番を入力しなくても、一部一致でも検索（いわゆる、あいまい検索）  できるように構成することが好ましい。この検索方法により、例えば、ユーザーは自分が使用しているノズルの詳細情報をメーカーのカタログデータから得ることができる。
【０００６】
類似ノズル検索手段は、基準となるノズル型番情報を入力することで、類似の仕様のノズル型番情報をデータベースから抽出する検索方法である。例えば、ユーザーが現在使用しているノズルや、使用を検討しているノズルと類似の仕様  （例えば、圧力−流量特性が類似のもの）  を備えた他のメーカーのノズルを検討したいことがある。かかる場合に、類似ノズル検索は有用である。以上のように、４つの特徴ある検索方法を提供することで、ノズルユーザーがデータベースを検索するに際して、多様な検索方法をユーザーに提供して利便性を高めたノズル情報検索システムを提供することができる。
【０００７】
本発明の好適な実施形態として、前記第１ノズル型番検索手段と第２ノズル型番検索手段は、少なくとも、第１ステップの検索条件を入力する入力フォームを提供する手段と、第２ステップの検索条件を入力する入力フォームを提供する手段とを備え、これら各ステップは、ページを切り換えて行うように構成し、
前記入力フォームが表示される表示画面、及び、検索結果が表示される表示画面において、入力済みの検索条件を表示する表示エリアを提供するように構成したものがあげられる。
【０００８】
第１・第２ノズル型番検索手段は、第１ステップと第２ステップの少なくとも２段階にわたって検索条件を入力できるような入力フォームを提供する。また、各ステップは、ページを切り換えて行う。入力フォームの表示画面では、入力済みの検索条件を表示する表示エリアが設けられている。よって、第２ステップの入力フォームの表示画面においても、第１ステップで入力した検索条件の内容を表示エリアで確認することができる。よって、検索条件が間違えていれば、第１ステップに戻ってやり直すことができる。同様に、検索結果が表示される表示画面においても、各ステップで入力した検索条件が表示エリアに示されるので、検索条件が正しいか否かを確認することができる。
【０００９】
まず、前記第１ノズル型番検索手段は、検索条件として、ノズルの分類を入力する入力フォームを提供する第１手段と、スプレーパターンを入力する入力フォームを提供する第２手段と、ノズル仕様を入力する入力フォームを提供する第３手段とを備えたものが好ましい。
【００１０】
ノズルの検索を行うにあたり、どのようなステップを踏んで検索条件を入力していくかは、ユーザーから見たシステムの使い勝手とも関連し重要である。第１ノズル型番検索手段では、ノズルの分類、スプレーパターン、ノズル仕様を段階的に入力できるように入力フォームを提供する。検索条件としては、この３つを設定することで、大まかなノズル検索を行うことができる。
【００１１】
一方、前記第２ノズル型番検索手段は、検索条件として、ノズルの分類を入力する入力フォームを提供する第４手段と、流体の流入方向を入力する入力フォームを提供する第５手段と、スプレーパターンを入力する入力フォームを提供する第６手段と、ノズル仕様を入力する入力フォームを提供する第７手段とを備えたものが好ましい。
【００１２】
第２ノズル型番検索手段では、ノズルの分類、流入方向、スプレーパターン、ノズル仕様を段階的に入力できるような入力フォームを提供する。  検索条件としは、第１ノズル型番検索よりも１ステップ多くなっており、より絞り込んだ形での検索が行えるようになっている。
【００１３】
上記の第１ノズル型番検索では、前記入力フォームにおいて、前記スプレーパターンの複数をイラスト化して表示させ、いずれか１つのスプレーパターンを選択可能に構成することが好ましい。
【００１４】
ノズルの選択にあたり、スプレーパターンは、重要な項目の１つである。このスプレーパターンの種類は、言葉で表現することが困難であり、かつ、ノズルメーカーやノズルユーザーの間でも表現が統一されていない。従って、スプレーパターンの入力方法をどのようにするかは、検索システムの利便性に影響する。  そこで、言葉による表現が困難なスプレーパターンの複数をイラスト化して表示させ、いずれか１つをユーザーに選択させるようにした。これにより、スプレーパターンの選択が簡単になり、利便性が高まる。
【００１５】
第２ノズル型番検索手段でも、前記入力フォームにおいて、前記流入方向の複数と前記スプレーパターンの複数をイラスト化して表示させ、いずれか１つの前記流入方向と前記スプレーパターンとを選択可能に構成することが好ましい。
【００１６】
スプレーパターンと同様に、流入方向についても言葉による表現が困難であり統一されていない。  そこで、流入方向及びスプレーパターンをイラスト化することで、利便性を高めることができる。
【００１７】
上記の構成において、前記流入方向のいずれか１つを選択した場合、前記スプレーパターンは、選択された流入方向に対応したもののみをイラスト化して表示させることが好ましい。
【００１８】
スプレーパターンと流体の流入方向は関連性がある。イラスト化したスプレーパターンの全てを表示させると、選択された流入方向とは関係のないスプレーパターンも表示されてしまう。その結果、検索条件の入力ミスとなり、検索結果が得られないということもありうる。そこで、上記のように流入方向に対応したスプレーパターンのみを表示させることで、ユーザーを迷わせることもなく、確実な検索を行うことができる。
【００１９】
ノズル型番検索手段によるノズル仕様の入力項目として、前記第３手段は、流体圧力と、噴射流体流量と、スプレー角度とをノズル仕様として入力可能に構成し、前記第７手段は、オリフィス部材質や異物通過径等を更に入力可能に構成してあることが好ましい。
【００２０】
入力項目の設定は、ノズルの検索を適切に行えるか否かにおいて重要な要素である。第１ノズル型番検索手段の場合は、ノズルの特性として重要な流体圧力、噴射流体流量、スプレー角度を入力可能にする。検索する場合は、これらのうちの少なくとも１つの項目について数値を入力することで、大雑把なノズル検索を行うことができる。また、第２ノズル型番検索手段の場合は、これら流体圧力、噴射流体流量、スプレー角度に加えて、オリフィス部材質や異物通過径等の他の項目も入力可能にする。  これにより、より絞り込んだ形での（ピンポイントの）検索も可能になる。
【００２１】
さらに、前記流体圧力と前記噴射流体流量を入力するにあたり、許容範囲も入力可能に構成することがより好ましい。
【００２２】
流体圧力と噴射流体流量は、ノズル特性でも重要な要素であるが、これらの物理量について特定の数値のみで検索すると、数値からはずれたものは検索できないことになる。従って、ユーザーの要望するノズルが実際には存在するにもかかわらず、検索結果として上がってこないということもありうる。そこで、これら物理量について、許容範囲も入力可能にすることにより、ユーザーの要望しているノズルを確実に検索できるようになる。
【００２３】
【発明の実施の形態】
本発明に係るノズル検索システムの好適な実施形態を図面を用いて説明する。図１は、ノズル情報検索システムの構成を示す概念図である。
【００２４】
＜システム全体構成＞
このシステムは、データベースに構築されたノズル情報を提供する総合ノズルコンサルタント会社Ｃ（以下、コンサルタント会社と略し、サーバー管理者にも該当する。  ）の管理するサーバーシステム２と、ノズルユーザーＡ（以下、単に「ユーザー」  と略す。）のクライアント装置１とがインターネットＢ（ネットワークに相当する）  により接続されている。クライアント装置１は、一般的にはパソコンが使用され、インターネットに接続してホームページを閲覧するためのブラウザがインストールされている。また、ノズルメーカーＤのシステムにも接続されている。
【００２５】
サーバーシステム２は、いわゆるＷｅｂサーバを中核として構成されるものであり、ノズル情報検索システムを利用するために種々のページ（サイト）  を用意している。このサイトマップについては、後述する。  ページは、ＨＴＭＬファイルの形式でハードディスクに保存されている。また、サーバーシステムには、システム運用のために必要なソフトウェアとして、ＯＳ及び各種アプリケーションがインストールされている。また、世界各国のノズルメーカーが提供するノズルカタログ２１に基づいて、ノズル情報のデータベース２０を構築している。このデータベース２０の概要は、本出願人による前述の特許文献１に開示されている。
【００２６】
先ほど述べたようにデータベース２０には、ノズルカタログに基づいてノズル情報をデータベース化しているが、例えば、ノズル仕様情報とノズル型番情報とを対応付けてデータベースに登録している。また、ノズル型番情報と、その型番に対応する圧力、流量、噴射角、噴射パターン、材質等の仕様情報が登録される。従って、ユーザーの要望する噴射角の数値をキーワードとしてデータベース２０を検索することができる。また、各社のカタログ画像データ２１も入力されており、あるメーカーの型番が指定された場合は、その型番のノズルが掲載されているカタログの該当するページを検索することができるようになっている。これにより、ユーザーは、このデータベース２０を利用することで、世界のノズルメーカーのカタログ情報を取得することができる。
【００２７】
＜サーバーシステムの構成＞
次に、サーバーシステム２の制御ブロック構成を図２により説明する。送受信部２２は、ユーザー、コンサルタント会社等のパソコン（以下、外部パソコンと総称することがある。）からのアクセス要求に応じて、Ｗｅｂページ（ホームページ）データ（ＨＴＭＬデータ）や電子メールを送信する。また、外部パソコンにより入力されたデータ、電子メール等を受信する。この送受信部２２は、サーバーシステム２を構成するコンピュータにインストールされるプログラム（ＯＳ等）や通信インターフェースにより構成することができる。
【００２８】
Ｗｅｂページ記憶部２３は、ＷｅｂページデータがＨＴＭＬファイルの形式で保存されている。Ｗｅｂページ処理部２４は、外部パソコンからのアクセス要求に応じて、Ｗｅｂページ記憶部２３に記憶されているＷｅｂページデータを送受信部２２を介して送信させる。また、ＣＧＩプログラムによる処理結果やデータベース２０の検索結果をＷｅｂページの形態に処理し（ＨＴＭＬデータを生成し）、外部パソコンへと送信する。
【００２９】
電子メール処理部２５は、外部パソコンから送信されてくる電子メールの処理、例えば、電子メールに書かれているデータの解析等を行う。解析結果に基づき、ＣＧＩプログラムが起動される。また、外部パソコンへ送信すべき電子メールの自動作成を行う。ＣＧＩシステム２６とは、サーバーが外部のプログラム（ＣＧＩプログラム）を呼び出して実行させる機能のことをいう。ＣＧＩシステム２６の中核をなすＣＧＩプログラムが多数格納されている。
【００３０】
データベース制御部２９は、ユーザーのパソコンから送信されてきたキーワード情報に基づいて、データベース２０の検索を行う。検索結果は、ＣＧＩシステム２６の機能により、Ｗｅｂページの形態でユーザーのパソコンに返信される。
【００３１】
Ｗｅｂページ記憶部２３には、Ｗｅｂページデータが多数格納されているが、本発明と特に関連するものについて図２に示している。本検索システムでは、４つの検索方法を提供しており、具体的には、スタンダード検索、エキスパート検索、ノズル仕様検索、類似ノズル検索の４つである。そのための検索ページを提供する。また、スタンダード検索用ページは、各種入力フォームを提供するための第１手段、第２手段、第３手段を有する。また、エキスパート検索用ページも、各種入力フォームを提供するための第４手段、第５手段、第６手段、第７手段を有する。これら各手段についての詳細は、後述する。
【００３２】
＜サイトマップ＞
次に、Ｗｅｂページ記憶部２３に格納されているページ  （サイト）  の構成を図３〜図５のサイトマップにより説明する。各ページは、日本語（第１の言語）に基づいて作成した第１ページ群と、同じ内容を英語  （第２の言語）に基づいて作成した第２ページ群とにより構成されている。従って、第１ページ群も第２ページ群もサイトマップとしては同じ構成となる。また、各ページ群に含まれているページのうち特定のページについては、日本語と英語に加えて、ドイツ語、フランス語、イタリア語、スペイン語、中国語、韓国語、アラビア語、ロシア語、ポルトガル語（これらは第３の言語に相当）に基づいて記載されている。本システムは、世界各国に存在するユーザーに利用してもらうため、特定のページについては全部で１１カ国の言語に基づいて作成されている。これにより、利便性の高いシステムを提供することができる。
【００３３】
図３，４，５において、ページを番号で示している。番号を二点鎖線の枠で囲んでいるページは、別ウィンドウで起動するページを示す。ページ間のリンク関係を矢印で示している。ページの説明は概略にとどめ、本発明と関係するページについては、後で詳細に説明する。図３〜５には、サイトマップの全体を示しており、ページ間のリンク関係が違う図面にまたがる場合は、○付数字で矢印をつないでいる。また、図中、ひし形の記号は、何らかの判断処理が行われることを示している。
【００３４】
「１」はコンサルタント会社のトップページである。「２」は、ノズル情報検索システムのトップページである。「３」は、世界１１カ国の言語で本システムの案内がされていることを説明するページ（第２の特定ページ）  である。「４」はキャンペーン中であることを説明するページである。「５」は目次ページである。
【００３５】
「６」はノズル情報検索システムのクイックガイドを示すページ  （特定ページ）  である。「７」は、システムの特徴を説明するページである。「８」はデータベース化されているノズルカタログ情報の内容を説明するページである。「９」は検索方法の種類を説明するページである。「１０」は、ノズル検索の操作を説明するページである。「１１」〜「１３」は、スタンダード検索の手順を説明するページである。「１４」はスタンダード検索の結果を表示するページである。「１５」はスタンダード検索の詳細結果を説明するページである。詳細結果において、カタログ画像をＰＤＦファイルで見ることができる。
【００３６】
「１６」〜「１９」はエキスパート検索の手順を説明するページである。「２０」は、エキスパート検索の結果を示すページである。「２１」はエキスパート検索の詳細結果を説明するページである。詳細結果において、カタログ画像をＰＤＦファイルで見ることができる。
【００３７】
「２２」はノズル仕様検索を説明するページである。「２３」は、ノズル仕様検索の結果を示すページである。「２４」は、ノズル仕様検索の詳細結果を説明するページである。「２５」は、類似ノズル検索の手順を示すページである。「２６」は、類似ノズル検索の結果を説明するページである。「２７」は、類似ノズル検索の詳細結果を説明するページである。「２８」は、単位換算を行うためのページである。このページは、単位換算を必要とするページにリンクさせている。
【００３８】
「２９」は、利用手続を説明するページである。「３０」は、サービス提供時間を説明するページである。「３１」は、利用料金と支払い方法を説明するページである。「３２」は、パソコンの推奨環境を説明するページである。「３３」は、利用規約を説明するページである。「３４」は、セキュリティポリシーを説明するページである。「３５」は、プライバシーポリシーを説明するページである。「３６」は、ＦＡＱ（よくある質問集）を説明するページである。「３７」は、問い合わせに関して説明するページである。「３８」は、サイトマップを説明するページである。「３９」は、サービスに関する表示をしたページである。「４０」は、カタログダウンロードを説明するページである。
【００３９】
「１０２」は、会員がログインするためのページである。すなわち、  本システムを利用するためには、会員登録を予め行っておく必要がある。会員登録を行った後、ＩＤとパスワードを入力することで、システムの利用が可能になる。「４１」は、カタログ送付先情報の記入フォームを説明するページである。「４２」は、エラー表示をするためのページである。「４３」は、送信内容の確認をさせるためのページである。「４４」は、送信完了を知らせるページである。
【００４０】
「４５」は、会員登録申し込みのトップページである。「４６」は、無料サービスの案内を知らせるページである。「４７」は、エラー表示をするページである。「４８」は、会員登録の申し込みフォームをユーザーに提供するためのページである。「４９」は、会員登録の申し込み内容をユーザーに確認させるためのページである。「５０」「５１」は、会員登録申し込み完了を知らせるためのページである。
【００４１】
「５２」は、利用料金の支払いを説明するページである。「５３」は、利用料金決済完了を知らせるためのページである。
【００４２】
「５４」は、会員がログインするためのページである。「５５」は、ログインエラーを知らせるためのページである。このエラー表示がされた場合は、ユーザーは、ＩＤとパスワードの入力をやり直す。「５６」は、アクセス制限中であることを知らせるページである。「５７」は、システム停止中を知らせるページである。「５８」は、タイムオーバーを知らせるページである。本システムは、支払われた料金に対応した時間だけ利用できるようになっている。「５９」は、会員情報の確認と変更、利用時間の確認を説明するページである。
【００４３】
「６０」は、パスワードの変更をするためのページである。「６１」は、入力したＩＤとパスワードのエラーを知らせるためのページである。「６２」は、パスワードの変更完了を知らせるページである。「６３」は、ユーザーの住所・連絡先の確認と変更をするためのページである。「６５」は、住所・連絡先を変更するための入力フォームを提供するためのページである。「６６」は、入力エラーを知らせるためのページである。「６７」は、住所・連絡先の変更内容を確認するためのページである。「６８」は、住所・連絡先の変更が完了したことを知らせるページである。
【００４４】
「６９」は、ＩＤとパスワードの確認をするためのページである。「７０」は、入力エラーを知らせるためのページである。「７１」は、ＩＤとパスワードの表示をするページである。「７２」は、システムの利用状況を確認するためのページである。「７３」は、利用状況を知らせるためのページである。
【００４５】
「７４」は、退会申請の入力フォームを提供するためのページである。「７５」は、退会手続完了を知らせるためのページである。
【００４６】
次に、検索基本パターンのサイトマップを図５により説明する。
「７６」は、利用残り時間を表示するページである。これは、検索基本パターンにおける各ページに共通のボタンとして設定されている。「７７」は、検索方法を説明するページである。検索方法としては、ノズル型番に基づいた検索と、ノズルの仕様に基づいた検索と、似た性能のノズルも検索できる類似ノズル検索がある。型番検索は、概略条件を入力することで検索するスタンダード検索と、詳細条件を入力することで検索するエキスパート検索とがある。すなわち、  ４通りの検索方法を提供する。
【００４７】
「７８」〜「８０」は、スタンダード検索のための入力フォームを提供するページ（第１〜第３手段）である。「８１」は、スタンダード検索の検索結果の一覧表を表示するページである。「８２」は、検索エラー（無検索）  を表示するためのページである。「８３」は、スタンダード検索結果の詳細表示をするためのページである。このページにおいて、検索されたノズルのカタログ画像をＰＤＦファイルで表示させることができる。「Ｍ」は、メールソフトが起動することを示す。すなわち、  検索されたノズル群のうち、ユーザーが選択したノズルのメーカーに対して電子メールを送信可能である。「８４」は、電子メール送信不可であることを表示するページである。
【００４８】
「８５」〜「８８」は、エキスパート検索のための入力フォームを提供するページ  （第４〜第７手段）  である。「８９」は、エキスパート検索の検索結果の一覧表を表示するページである。「９０」は、検索エラーを表示するためのページである。「９１」は、エキスパート検索結果の詳細表示をするためのページである。カタログ画像と電子メールに関しては、スタンダード検索と同様である。
【００４９】
「９２」は、ノズル仕様検索のための入力フォームを提供するページである。「９３」は、ノズル仕様検索の検索結果の一覧表を表示するページである。「９４」は、検索エラーを表示するためのページである。「９５」は、ノズル仕様検索結果の詳細表示をするためのページである。カタログ画像と電子メールに関しては、スタンダード検索と同様である。
【００５０】
「９６」は、類似ノズル検索のための入力フォームを提供するページである。「９７」は、ノズル仕様検索の検索結果の一覧表を表示するページである。「９８」は、検索エラーを表示するためのページである。「９９」は、ノズル仕様検索結果の詳細表示をするためのページである。カタログ画像と電子メールに関しては、スタンダード検索と同様である。
【００５１】
「１００」は、単位換算のためのページである。ノズルカタログで使用されている圧力や流量の単位は、メーカー間による統一がされていない。そこで、ユーザーの使いやすい単位に変換できるようにしている。「１０１」は、複数ログインエラーを知らせるページである。「１０２」は、会員ログインのためのページである。「１０３」は、ログアウト確認のためのページである。
【００５２】
＜検索方法の選択＞
次に、本発明に係るノズル情報検索システムにおける４つの検索方法の選択を説明する。図６は、検索方法を選択するためのページの表示構成例を示す。ここに示すように、本検索システムは４つの検索方法を提供する。すなわち、  ノズル型番検索として、スタンダード検索とエキスパート検索、ノズル仕様検索と、類似ノズル検索である。画面上の「検索画面へ」と書かれたボタン４０をクリックすれば、夫々の検索画面へと移行する。なお、画面右上の、「ご利用残り時間」をクリックすれば、残り時間を知ることができる  （図５の「７６」で示すページ）  。以下、各検索方法を順番に説明する。
【００５３】
＜スタンダード検索＞
スタンダード検索は、概略の検索条件を入力して、ノズル型番を多数検索する方法である。広範囲で多数のノズル型番を検索することができる。スタンダード検索では、３段階に分けて検索条件を入力可能である。図６に示す画面において、スタンダード検索を選択すると、まず図７に示すようなステップ１の検索画面  （入力フォーム）  に移行する。これは第１手段の機能に基づく。
【００５４】
画面の上部には、入力済みの検索条件を表示する表示エリア４１が設けられている。ステップ１では、ノズルの分類を検索条件として入力する。あらかじめ、「液体用ノズル」「気体用ノズル」・・・のように分類がされており、ラジオボタンをクリックすれば、いずれか１つの分類を選択することができる。選択を終了すると、画面下にある「次ページ」ボタンをクリックすれば、ステップ２へ進む。
【００５５】
図８は、スタンダード検索の第２ステップの検索画面  （入力フォーム）  を示す図である。これは第２手段の機能に基づく。ステップ１と同様に表示エリア４１が設けられている。この表示エリア４１には、ステップ１で入力済みのノズルの分類として、「蒸気ノズル」が表示されている。これにより、過去に（別のステップで）入力した検索条件を確認することができる。ステップ１の条件を変更したい場合は、表示エリア４１の中で「Ｓｔｅｐ１」と表示された箇所をクリックすれば、先ほどの図７の検索画面に戻ることができる。
【００５６】
ステップ２では、スプレーパターンを選択する。スプレーパターンは、ノズルの先端から外部に流体が噴射されるときの噴射パターンである。スプレーパターンの表現については、ノズルメーカーの間で統一されたものがなく、また、言葉で表現すること自体も難しい。従って、ユーザーに検索条件としてスプレーパターンを入力させる場合に、どのような形で入力させるかは重要である。また、ユーザーが入力しやすいような形態でなければならない。そこで、スプレーパターンをイラスト化して表示させるようにした。本願発明者は、世界各国のノズルカタログを検討し、全てのノズルを図８に示すようにイラスト化されたスプレーパターンで分類した。夫々のスプレーパターンには、形状ＩＤも付している。なお、スプレーパターン断面が同じであっても、流体の噴射方向が異なる場合は、異なる分類として扱っている。言葉による説明だけでなく、スプレーパターンをイラスト化しているので、ユーザーは迷うことなく自分の要望するノズルのスプレーパターンを選択することができる。選択は、いずれか１つのラジオボタンをクリックすればよい。ステップ２の入力が終わると、「次ページ」  ボタンをクリックしてステップ３に進む。
【００５７】
図９は、ステップ３の検索画面  （入力フォーム）  の構成例を示す図である。これは第３手段の機能に基づく。ステップ３では、概略のノズル仕様を検索条件として入力する。他の、ステップ１，２の画面と同様に、表示エリア４１が設けられている。既に入力済みのノズルの分類とスプレーパターンをイラスト化したものが表示されている。表示エリア４１の機能は、すでに説明したのと同じである。
【００５８】
画面の下部にノズル仕様を入力するための入力フォームが示される。具体的には、流体圧力と噴射流体流量とスプレー角度とを入力できる。流体圧力を入力する入力欄４３と、単位を選択する入力欄４５とが設けられている。入力欄４３には、数値を入力する。単位については、メーカーやユーザーによって取り扱っている単位が異なっているので、選択できるようにした。なお、ユーザーの選択した単位と、メーカーのカタログ記載の単位とが異なっていたとしても、単位換算の演算処理を行って検索するようにしているので、選択した単位に依存して検索結果が異なることはないようにしている。噴射流体流量についても、単位を選択できる。なお、単位換算表と記載されているボタン４２をクリックすると、単位換算するためのページが別ウィンドウで表示される。このページで、単位換算を行うことができるので、ユーザーは必要に応じて利用すればよい。
【００５９】
また、噴射流体流量とスプレー角度については、許容範囲も入力できるような入力欄４４も設けている。これは、もし許容範囲を入れない場合は、入力した流体圧力に対応する噴射流体流量及びスプレー角度を有するノズルが検索されない可能性が高くなるからである。つまり、ピンポイントの数値の検索では、ユーザーの要望する特性を有するノズルが存在するにもかかわらず、検索結果として抽出されないということがありうる。  そこで、本検索システムでは、許容範囲も入力させるようにして、確実に検索できるようにしている。
【００６０】
ステップ３の検索条件を入力し終わったら、検索開始ボタンをクリックすると、検索が行われる。なお、既に入力済みの検索条件のやり直しをする場合は、表示エリア４１の中にある該当する箇所をクリックすれば、選択したステップの検索画面のところに戻る。また、検索を実行するにあたり、ステップ１とステップ２とは必須項目であるが、ステップ３のノズル仕様については、入力しなくても検索を行うことができる。あるいは、ノズル仕様の一部のみを入力しても良い。これにより、広範囲にわたってノズルを検索することができる。
【００６１】
図１０は、スタンダード検索における検索結果の一覧表を表示する画面の構成例である。この画面においても、検索条件を表示する表示エリア４１が設けられている。機能は同じである。
【００６２】
一覧表は、画面の下部に示される。表の項目として、システムコード、メーカー、国籍、カタログ言語、メーカー型番、圧力値、単位、単位選択、流量値、単位、単位選択、スプレー角度が図示されている。図示の都合で示してはいないが、材質、ネジの規格・サイズ・オスメスの区別、バルブ、ストレーナについての項目も設けられる。このように、検索結果をノズル型番として抽出することができる。検索個数が多数の場合は、複数ページにわたって一覧表が作成される。ユーザーは、この検索結果を見て、新たに検索条件を入力したい場合は、画面の下にある「検索方法」の選択と記載されたボタンをクリックすればよい。この場合、入力した数値はクリアされる。また、検索結果を更に絞込みたい場合は、エキスパート検索に行くことができる。この場合も、画面下にある「エキスパート検索」  と記載されたボタンをクリックすればよい。これについては後述する。
【００６３】
一覧表に表示されている各社のノズルのうちの、特定のノズル型番のノズルについて詳細に知りたい場合は、一覧表の中のメーカー型番の枠内（例えば、図番４６で示している箇所）  をクリックすればよい。これにより、図１１，１２に示す、検索結果詳細表示の画面に移行する。図１１の画面を下方にスクロールすれば図１２の画面になる。
【００６４】
図１１の画面においても、上部に表示エリア４１が設けられている。機能は、すでに説明した通りである。また、単位換算表のためのクリックボタン４２も設けられている。
【００６５】
選択したノズル型番についての詳細表示が一覧表４８として表示されている。そのノズルのメーカーのＵＲＬも表示されており、メーカーのホームページもすぐに見ることができる。図１２に示すように、圧力−流量特性表４９と圧力−スプレー角度特性表５０が表示されており、単位も選択できる。異なる単位を選択すると、演算処理がされ、選択した単位に対応した数値に変換される。
【００６６】
一覧表４８の下方には、検索されたノズルに関連したノズルカタログのページ５１がサムネイル画像として表示されている。そのページの箇所をクリックすると、画像が拡大されてカタログ画像を通常の大きさで見ることができる。
【００６７】
画面の下部には、「添付メーラー起動」と記載されたボタン５２が設けられている。ユーザーは、メーカーに対して問い合わせを行いたい場合は、このボタン５２をクリックすればよい。これにより、電子メールのソフトウェアが自動的に起動する。また、宛先にもそのメーカーのメールアドレスが既に入力された状態となっている。
先ほどと同様に、新たに検索条件を入力したい場合は、「検索方法」の選択と記載されたボタン５３をクリックすればよい。
【００６８】
＜エキスパート検索＞
エキスパート検索は、詳細な検索条件を入力して、ノズル型番を絞り込んで検索する方法である。ピンポイントでノズル型番を検索することもできる。エキスパート検索では、４段階に分けて検索条件を入力可能である。図６に示す画面において、エキスパート検索を選択すると、まず図１３に示すようなステップ１の検索画面  （入力フォーム）  に移行する。
【００６９】
図１３に、エキスパート検索のステップ１の検索画面  （入力フォーム）  を示す。これは第４手段の機能に基づく。この画面は、図７に示すスタンダード検索の場合とほぼ同じである。画面の上部には、入力済みの検索条件を表示するための表示エリア５４が設けられており、これの機能は、スタンダード検索の場合と同じである。ただし、検索条件を４段階に分けて入力するため、表示形態は異なっている。ステップ１では、ノズルの分類を選択する。分類の仕方については、スタンダード検索と同じである。選択方法も同じである。ステップ１の入力が終わると、ステップ２に移行する。
【００７０】
ステップ２の検索画面  （入力フォーム）  を図１４に示す。これは第５手段の機能に基づく。画面上部には、表示エリア５４がこれまでと同様に設けられている。ステップ２では、流体の流入方向を選択する。この流入方向についても、スプレーパターンと同様に言葉で表現することが難しく、また、メーカー間でも表現が統一されていない。そこで、流入方向についても、イラスト化するようにした。これにより、ユーザーは、検索条件としての流入方向を容易に入力することができる。各流入方向には、ＩＤが付与されている。実際の検索は、このＩＤをキーとして行うことになる。ステップ２の入力が終了すると、ステップ３に移行する。
【００７１】
図１５は、ステップ３の検索画面  （入力フォーム）  を示す図である。これは第６手段の機能に基づく。  ステップ３では、スプレーパターンを入力するものであり、スタンダード検索の場合と同じである。なお、ここで表示されるスプレーパターンは全てではなく、ステップ２で入力した流入方向に対応したスプレーパターンのみをイラスト表示させる。これにより、矛盾した検索条件の入力を防止し、確実に検索を行うことができる。ステップ３の入力が終了すると、ステップ４に移行する。
【００７２】
図１６は、ステップ４の検索画面  （入力フォーム）  を示す図である。これは第７手段の機能に基づく。  ステップ４では、ノズル仕様を入力する。この点は、スタンダード検索の場合と同じであるが、エキスパート検索の場合は、かなり詳細に仕様項目を入力できるように、入力フォームが構成されている。具体的には、ノズルメーカー、バルブ機能付の有無、ストレーナ付の有無、オリフィス部材質、取付ネジの規格・サイズ・オス／メス、異物通過径、流体圧力、噴射流体流量、スプレー角度である。
【００７３】
なお、ステップ４のノズル仕様については全く入力をしなくても検索は可能である。エキスパート検索では、ステップ１〜３を必須の項目としている。また、ノズル仕様の各項目のうち、任意の一部のみを入力して検索することもできる。なお、流体圧力、噴射流体流量、スプレー角度についての入力形態は、スタンダード検索の場合と同様である。異物通過径についても、単位を選択できるようにしている。
【００７４】
以上のように、各ステップについて、検索条件の入力が終わり、検索開始ボタンをクリックすると、検索が開始される。なお、既に入力済みの検索条件を変更することもできる。この点は、スタンダード検索の場合と同じである。検索処理が終了すると、検索結果が一覧表で表示され、さらに、特定のノズル型番についての詳細表示もさせることができる。この点は、スタンダード検索と同じであるので、表示画面の図示は省略する。
【００７５】
＜ノズル仕様検索＞
ノズル仕様検索とは、ノズルカタログに記載されているノズル型番を入力して、そのノズルの仕様を検索する検索方法である。図１７に、ノズル仕様検索の検索画面を示す。ノズル型番を入力する入力欄には、フルのノズル型番を入力する。また、あいまい検索機能を備えており、ノズル型番が完全に分からない場合は、その一部の入力でも検索可能である。ただし、この場合は、複数のノズルが検索されることもありうる。
【００７６】
さらに、上記ノズル型番に代えてシステムコードにより検索することもできる。ノズル型番の付与の仕方は、ノズルメーカーによって多種多様であり、ユーザーにとっては扱い難い面がある。そこで、本検索システムにおいては、検索可能なすべてのノズルに対して、独自のシステムコード（ＩＤ）を付与している。これは、例えば、通し番号的なもので付与できる。メーカーの付与したノズル型番に代えて、このシステムコードを入力することでも検索が可能である。なお、システムコードについては、検索結果の一覧表にも表示されている  （図１０参照）  。
【００７７】
検索条件の入力が終わると、画面下にある「検索開始」  のクリックボタンをクリックすると、検索が行われる。検索結果の表示画面と、詳細表示の表示画面については、これまで説明したのと同じであるので、図示及び説明は省略する。
【００７８】
＜類似ノズル検索＞
類似ノズル検索とは、ノズル型番を入力して、これに類似した特性を有するノズルを検索する方法である。ユーザーによっては、今自分が使用しているノズルと類似した特性のノズルであって、他のメーカーのものを検討したいことがある。例えば、現在使用しているノズルのコストダウンや性能の改良をしたい場合に、その方法の１つとして、そのノズルと同等性能の他社製品の価格、性能を比較するためのデータが必要である。この場合、使用中のノズル型番や仕様を他のノズルメーカーに連絡をし調査を依頼するか、又は、他メーカーのノズルカタログから膨大な時間をかけて手作業で探すのは煩雑である。本検索システムによる類似ノズル検索は、そのような類似ノズルを短時間でかつ正確に検索できる。
【００７９】
図１８は、類似ノズル検索の検索画面  （入力フォーム）  を示す図である。まず、基準になるノズルを指定する必要がある。そのため、基準となるノズルの、ノズル型番又はシステムコードを入力する。ノズル型番を入力する場合は、フルの型番を入力する必要がある。これは、基準ノズルをただ１つ特定するためである。
【００８０】
次に、基準となる圧力を指定する。圧力は、単位を選択できるようにしている。この圧力に対応した流量及びスプレー角度の許容範囲を指定する。許容範囲の±の上限下限値が等しい場合は、ラジオボタンにより選択する。上限値と下限値が等しくない場合は、数値の入力を行う。
【００８１】
必要な項目の入力が終了した後、画面下にある「検索開始」ボタンをクリックすることで、検索が行われる。検索結果及び詳細表示の画面については、すでに説明したのと同じであるので、図示及び説明は省略する。
【００８２】
＜スタンダード検索→エキスパート検索＞
次に、スタンダード検索で検索した結果を踏まえてエキスパートへ移行する場合の手順を説明する。スタンダード検索では、広範囲に多数のノズルが検索される可能性がある。検索結果、得られたノズルから、更に絞り込んで検索を行いたい場合には極めて便利である。まず、図１０に示される画面下のエキスパート検索のボタンをクリックする。
【００８３】
エキスパート検索に移行するにあたり、スタンダード検索において入力した検索条件は、エキスパート検索にも引き継がれる。従って、ステップ１のノズルの分類については、既に入力済みであるから、上記のクリックボタンをクリックすると、直ちに、図１４に示すステップ２の検索画面に移行する。この場合、表示エリア５４には、既に入力済みの検索条件が表示されている。つまり、ステップ３のスプレーパターンも入力済みであるから、ノズルの分類と同様に選択されたスプレーパターンが表示されている。また、ステップ４に関しては、既に入力済みの項目があれば、表示される。
【００８４】
＜別実施形態＞
（１）本発明の検索システムにおいて、サーバーシステムを１台のサーバー装置で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。複数のサーバーで構成する場合に、サーバーが設置される場所が分散されていても良い。
【００８５】
（２）検索条件の入力形態については、特定の形態に限定されるものではない。プルダウンメニュー方式で選択する形態、入力欄  （ボックス）  内にキーボード等で入力する形態、ラジオボタン形式で選択する形態等を適宜用いることができる。どの項目をどのような入力形態にするかについても、任意に行うことができる。
【００８６】
（３）検索方法として４種類をあげたが、さらに別の検索方法を付加しても良い。
【図面の簡単な説明】
【図１】ノズル情報検索システムの構成を示す概念図
【図２】サーバーシステムの制御ブロック構成を示す図
【図３】サイトマップの構成を示す図
【図４】サイトマップの構成を示す図
【図５】サイトマップの構成を示す図
【図６】検索方法の選択画面の構成例を示す図
【図７】スタンダード検索におけるステップ１の検索画面の構成例を示す図
【図８】スタンダード検索におけるステップ２の検索画面の構成例を示す図
【図９】スタンダード検索におけるステップ３の検索画面の構成例を示す図
【図１０】スタンダード検索における検索結果の一覧表を表示する画面の構成例を示す図
【図１１】スタンダード検索における検索結果詳細表示の画面の構成例を示す図
【図１２】スタンダード検索における検索結果詳細表示の画面の構成例を示す図
【図１３】エキスパート検索におけるステップ１の検索画面の構成例を示す図
【図１４】エキスパート検索におけるステップ２の検索画面の構成例を示す図
【図１５】エキスパート検索におけるステップ３の検索画面の構成例を示す図
【図１６】エキスパート検索におけるステップ４の検索画面の構成例を示す図
【図１７】ノズル仕様検索における検索画面の構成例を示す図
【図１８】類似ノズル検索における検索画面の構成例を示す図
【符号の説明】
１        クライアント装置
２        サーバーシステム
２０      データベース
２１      ノズルカタログ
２２      送受信部
２３      Ｗｅｂページ記憶部
【図１】
2004246810.tif 000003
【図２】
2004246810.tif 000004
【図３】
2004246810.tif 000005
【図４】
2004246810.tif 000006
【図５】
2004246810.tif 000007
【図６】
2004246810.tif 000008
【図７】
2004246810.tif 000009
【図８】
2004246810.tif 000010
【図９】
2004246810.tif 000011
【図１０】
2004246810.tif 000012
【図１１】
2004246810.tif 000013
【図１２】
2004246810.tif 000014
【図１３】
2004246810.tif 000015
【図１４】
2004246810.tif 000016
【図１５】
2004246810.tif 000017
【図１６】
2004246810.tif 000018
【図１７】
2004246810.tif 000019
【図１８】
2004246810.tif 000020